(57)【特許請求の範囲】
【請求項１】
個別に発光を制御可能な複数の光源を有する発光手段と、
表示画像に基づいて、前記発光手段から照射された光を透過して画面に画像を表示する表示手段と、
各光源が対応する前記画面の領域における前記表示画像の特徴量に基づいて、各光源の発光輝度、および発光色の少なくとも一方である発光状態を制御する制御手段と、
を備え、
前記制御手段は、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する画像表示装置において、
前記第１画像の特徴量である第１特徴量を取得する第１取得手段と、
前記第２画像の特徴量である第２特徴量を取得する第２取得手段と、
をさらに有し、
前記制御手段は、前記表示画像の変化による前記対象光源の発光状態の変化が、前記非対象光源に比べて、前記第１特徴量と前記第２特徴量の差が大きいほど大きく抑制されるように、各光源の発光状態を制御する、
ことを特徴とする画像表示装置。
【請求項２】
個別に発光を制御可能な複数の光源を有する発光手段と、
表示画像に基づいて、前記発光手段から照射された光を透過して画面に画像を表示する表示手段と、
各光源が対応する前記画面の領域における前記表示画像の特徴量に基づいて、各光源の発光輝度、および発光色の少なくとも一方である発光状態を制御する制御手段と、
を備え、
前記制御手段は、前記表示画像が第１画像と第２画像が異なる領域に配置される画像である場合に、
前記複数の光源のうち前記画面において前記第１画像と前記第２画像との境界を含む
領域およびその近傍の領域に対応する対象光源の発光状態の変化が、
前記複数の光源のうち前記対象光源でない非対象光源の発光状態の変化に比べて抑制されるように制御する画像表示装置において、
前記第１画像が動画像である場合に、前記第１画像のシーンの切り変わりを検出する第１検出手段と、
前記第２画像が動画像である場合に、前記第２画像のシーンの切り変わりを検出する第２検出手段と、
をさらに有し、
前記制御手段は、前記第１画像と前記第２画像が動画像であり、且つ、前記第１画像のシーンと前記第２画像のシーンとが同時に切り替わった場合に、前記対象光源を前記非対象光源とみなして、各光源の発光状態を制御する、
ことを特徴とする画像表示装置。
【請求項３】
前記第１画像の特徴量である第１特徴量を取得する第１取得手段と、
前記第２画像の特徴量である第２特徴量を取得する第２取得手段と、
をさらに有し、
前記制御手段は、前記表示画像の変化による前記対象光源の発光状態の変化が、前記非対象光源に比べて、前記第１特徴量と前記第２特徴量の差が大きいほど大きく抑制されるように、各光源の発光状態を制御する、
ことを特徴とする請求項２に記載の画像表示装置。
【請求項４】
特徴量と発光状態の対応関係である第１対応関係を表す情報を記憶する第１記憶手段と、
特徴量と発光状態の対応関係であり、且つ、特徴量に対応付けられている発光状態の範囲が第１対応関係よりも狭い第２対応関係を表す情報を記憶する第２記憶手段と、
をさらに有し、
前記制御手段は、
前記非対象光源の発光状態を、当該非対象光源に対応する領域の前記特徴量と前記第１対応関係とに基づいて制御し、
前記対象光源の発光状態を、当該対象光源に対応する領域の前記特徴量と前記第２対応関係とに基づいて制御する、
ことを特徴とする請求項１から３のいずれか１項に記載の画像表示装置。
【請求項５】
前記制御手段は、
各光源の発光状態を、周期的に制御するものであって、
前記非対象光源の現在の発光状態を、当該非対象光源に対応する領域の現在の特徴量と、前の周期における当該非対象光源に対応する領域の特徴量との差に応じた第１変更量だけ当該非対象光源の前の周期における発光状態を変更した値で制御し、
前記対象光源の現在の発光状態を、当該対象光源に対応する領域の現在の特徴量と、前の周期における当該対象光源に対応する領域の特徴量との差に応じた第２変更量だけ当該対象光源の前の周期における発光状態を変更した値で制御し、
前記第２変更量の絶対値の取り得る値の最大値は、前記第１変更量の絶対値の取り得る値の最大値よりも小さい、
ことを特徴とする請求項１から３のいずれか１項に記載の画像表示装置。
【請求項６】
個別に発光を制御可能な複数の光源を有する発光手段と、
表示画像に基づいて、前記発光手段から照射された光を透過して画面に画像を表示する表示手段と、
を有する画像表示装置の制御方法であって、
各光源が対応する前記画面の領域における前記表示画像の特徴量に基づいて、各光源の
発光輝度、および発光色の少なくとも一方である発光状態を制御する制御ステップ
を有し、
前記制御ステップにおいて、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する画像表示装置の制御方法において、
前記第１画像の特徴量である第１特徴量を取得する第１取得ステップと、
前記第２画像の特徴量である第２特徴量を取得する第２取得ステップと、
をさらに有し、
前記制御ステップでは、前記表示画像の変化による前記対象光源の発光状態の変化が、前記非対象光源に比べて、前記第１特徴量と前記第２特徴量の差が大きいほど大きく抑制されるように、各光源の発光状態を制御する、
ことを特徴とする画像表示装置の制御方法。
【請求項７】
個別に発光を制御可能な複数の光源を有する発光手段と、
表示画像に基づいて、前記発光手段から照射された光を透過して画面に画像を表示する表示手段と、
を有する画像表示装置の制御方法であって、
各光源が対応する前記画面の領域における前記表示画像の特徴量に基づいて、各光源の発光輝度、および発光色の少なくとも一方である発光状態を制御する制御ステップ
を有し、
前記制御ステップにおいて、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する画像表示装置の制御方法において、
前記第１画像が動画像である場合に、前記第１画像のシーンの切り変わりを検出する第１検出ステップと、
前記第２画像が動画像である場合に、前記第２画像のシーンの切り変わりを検出する第２検出ステップと、
をさらに有し、
前記制御ステップでは、前記第１画像と前記第２画像が動画像であり、且つ、前記第１画像のシーンと前記第２画像のシーンとが同時に切り替わった場合に、前記対象光源を前記非対象光源とみなして、各光源の発光状態を制御する、
ことを特徴とする画像表示装置の制御方法。
【請求項８】
請求項６または７に記載の画像表示装置の制御方法の各ステップをコンピュータに実行させるためのプログラム。
【発明の詳細な説明】
【技術分野】
【０００１】
本発明は、画像表示装置、画像表示装置の制御方法、及び、プログラムに関する。
【背景技術】
【０００２】
液晶表示装置などの画像表示装置に関する従来技術は、例えば、特許文献１〜３に開示されている。
特許文献１，３には、複数の光源を有するバックライトが開示されている。特許文献１，３に開示の技術では、複数の光源は、画面の領域を構成する複数の分割領域にそれぞれ配置されている。
特許文献１に開示の技術では、入力画像の特徴量に基づいて複数の光源の発光輝度が個別に制御される。このような制御は、“ローカルディミング制御”と呼ばれる。ローカルディミング制御を行うことにより、表示画像（画面に表示された画像）のダイナミックレンジを拡大したり、表示画像のコントラストを向上したりすることができる。ローカルディミング制御を行うことにより、画面方向における輝度値の変化（輝度傾斜）が大きい画像を表示する場合にも、上記効果を得ることができる。
特許文献２には、複数の画像を並べて表示する多画像表示時に、入力画像の特徴量に基づいてバックライトの発光輝度を制御する処理を停止する技術が開示されている。
特許文献３に開示の技術では、互いに隣接する２つの分割領域間における光源の発光輝度の差が許容値以下に制限される。それにより、互いに隣接する２つの分割領域間の境界線が視認しされる不具合を軽減することができる。
【０００３】
しかしながら、特許文献１，２の技術を組み合わせてしまうと、多画像表示時に、ローカルディミング制御が停止されてしまう。そのため、特許文献１，２の技術を組み合わせてしまうと、多画像表示時に、表示画像のダイナミックレンジを拡大する効果、及び、表示画像のコントラストを向上する効果を得ることができない。換言すれば、特許文献１，２の技術を組み合わせてしまうと、多画像表示時に、表示画像のダイナミックレンジやコントラストが低下してしまう。
【０００４】
また、多画像表示時には、１つの光源からの光が複数の画像表示領域（複数の画像がそれぞれ表示される複数の領域）に照射されることがある。以後、複数の画像表示領域に光を照射する光源を“境界近傍光源”と記載する。
そして、従来のローカルディミング制御では、光源毎に、その光源の発光輝度が、当該光源が配置されている分割領域に表示される画像の特徴量に応じて制御される。境界近傍光源以外の光源が配置されている分割領域には１つの画像が表示されるため、境界近傍光源以外の光源の発光輝度は１つの画像の特徴量に応じて制御される。境界近傍光源が配置されている分割領域には１つまたは複数の画像が表示されるため、境界近傍光源の発光輝度は１つまたは複数の画像の特徴量に応じて制御される。
【０００５】
そのため、多画像表示時に上述した従来のローカルディミング制御を行ってしまうと、表示画像の画質劣化が生じてしまうことがある。具体的には、画像Ｉ１（例えば、静止画像）の画像表示領域を含む複数の画像表示領域に光を照射する境界近傍光源ＬＳの発光輝度が、画像Ｉ１とは無関係な画像Ｉ２（例えば、動画像）の特徴量の変動に応じて変動することがある。そして、このような発光輝度の変動が生じると、画像Ｉ１の端部（境界近傍光源ＬＳからの光が照射される領域）に、表示輝度（画面上の輝度）の予期せぬ変動が生じてしまう。
なお、ローカルディミング制御によって発光色が制御される場合にも、上述した画質劣化は生じ得る。
【先行技術文献】
【特許文献】
【０００６】
【特許文献１】特開２００２−９９２５０号公報
【特許文献２】特開２００７−２４１２５０号公報
【特許文献３】特開２００８−１２２７１３号公報
【発明の概要】
【発明が解決しようとする課題】
【０００７】
本発明は、多画像表示時に従来のローカルディミング制御を行うことによって生じる表示画像の画質劣化を、表示画像のダイナミックレンジやコントラストの低下を抑制しつつ、抑制することができる技術を提供することを目的とする。
【課題を解決するための手段】
【０００８】
本発明の第１の態様は、
個別に発光を制御可能な複数の光源を有する発光手段と、
表示画像に基づいて、前記発光手段から照射された光を透過して画面に画像を表示する表示手段と、
各光源が対応する前記画面の領域における前記表示画像の特徴量に基づいて、各光源の発光輝度、および発光色の少なくとも一方である発光状態を制御する制御手段と、
を備え、
前記制御手段は、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する画像表示装置において、
前記第１画像の特徴量である第１特徴量を取得する第１取得手段と、
前記第２画像の特徴量である第２特徴量を取得する第２取得手段と、
をさらに有し、
前記制御手段は、前記表示画像の変化による前記対象光源の発光状態の変化が、前記非対象光源に比べて、前記第１特徴量と前記第２特徴量の差が大きいほど大きく抑制されるように、各光源の発光状態を制御する、
ことを特徴とする画像表示装置である。
本発明の第２の態様は、
個別に発光を制御可能な複数の光源を有する発光手段と、
表示画像に基づいて、前記発光手段から照射された光を透過して画面に画像を表示する表示手段と、
各光源が対応する前記画面の領域における前記表示画像の特徴量に基づいて、各光源の発光輝度、および発光色の少なくとも一方である発光状態を制御する制御手段と、
を備え、
前記制御手段は、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する画像表示装置において、
前記第１画像が動画像である場合に、前記第１画像のシーンの切り変わりを検出する第１検出手段と、
前記第２画像が動画像である場合に、前記第２画像のシーンの切り変わりを検出する第２検出手段と、
をさらに有し、
前記制御手段は、前記第１画像と前記第２画像が動画像であり、且つ、前記第１画像のシーンと前記第２画像のシーンとが同時に切り替わった場合に、前記対象光源を前記非対象光源とみなして、各光源の発光状態を制御する、
ことを特徴とする画像表示装置である。
【０００９】
本発明の第３の態様は、
個別に発光を制御可能な複数の光源を有する発光手段と、
表示画像に基づいて、前記発光手段から照射された光を透過して画面に画像を表示する表示手段と、
を有する画像表示装置の制御方法であって、
各光源が対応する前記画面の領域における前記表示画像の特徴量に基づいて、各光源の発光輝度、および発光色の少なくとも一方である発光状態を制御する制御ステップ
を有し、
前記制御ステップにおいて、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する画像表示装置の制御方法において、
前記第１画像の特徴量である第１特徴量を取得する第１取得ステップと、
前記第２画像の特徴量である第２特徴量を取得する第２取得ステップと、
をさらに有し、
前記制御ステップでは、前記表示画像の変化による前記対象光源の発光状態の変化が、前記非対象光源に比べて、前記第１特徴量と前記第２特徴量の差が大きいほど大きく抑制されるように、各光源の発光状態を制御する、
ことを特徴とする画像表示装置の制御方法である。
本発明の第４の態様は、
個別に発光を制御可能な複数の光源を有する発光手段と、
表示画像に基づいて、前記発光手段から照射された光を透過して画面に画像を表示する表示手段と、
を有する画像表示装置の制御方法であって、
各光源が対応する前記画面の領域における前記表示画像の特徴量に基づいて、各光源の発光輝度、および発光色の少なくとも一方である発光状態を制御する制御ステップ
を有し、
前記制御ステップにおいて、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する画像表示装置の制御方法において、
前記第１画像が動画像である場合に、前記第１画像のシーンの切り変わりを検出する第１検出ステップと、
前記第２画像が動画像である場合に、前記第２画像のシーンの切り変わりを検出する第２検出ステップと、
をさらに有し、
前記制御ステップでは、前記第１画像と前記第２画像が動画像であり、且つ、前記第１画像のシーンと前記第２画像のシーンとが同時に切り替わった場合に、前記対象光源を前記非対象光源とみなして、各光源の発光状態を制御する、
ことを特徴とする画像表示装置の制御方法である。
【００１０】
本発明の第５の態様は、上述した画像表示装置の制御方法の各ステップをコンピュータに実行させるためのプログラムである。
【発明の効果】
【００１１】
本発明によれば、多画像表示時に従来のローカルディミング制御を行うことによって生じる表示画像の画質劣化を、表示画像のダイナミックレンジやコントラストの低下を抑制しつつ、抑制することができる。
【図面の簡単な説明】
【００１２】
【図１】実施例１に係る画像表示装置の機能構成の一例を示すブロック図
【図２】実施例１に係る第１対応関係と第２対応関係の一例を示す図
【図３】実施例１に係る境界近傍光源の検出方法の一例を示す図
【図４】実施例１に係る画像表示装置の動作の一例を示す図
【図５】実施例１に係る画像表示装置の動作の一例を示す図
【図６】実施例１に係る画像表示装置の動作の一例と従来例を示す図
【図７】実施例２に係る画像表示装置の機能構成の一例を示すブロック図
【図８】実施例２に係る画像表示装置の動作の一例と従来例を示す図
【図９】実施例３に係る画像表示装置の機能構成の一例を示すブロック図
【図１０】実施例３に係る画像表示装置の機能構成の一例を示すブロック図
【図１１】実施例３に係る表示画像の一例と従来例を示す図
【図１２】実施例４に係る第１対応関係と第２対応関係の一例を示す図
【図１３】実施例５に係る表示画像の一例と従来例を示す図
【図１４】実施例６に係る第４対応関係と第５対応関係の一例を示す図
【図１５】実施例６に係る画像表示装置の動作の一例と従来例を示す図
【図１６】実施例の変形例に係る表示画像の一例を示す図
【図１７】従来の画像表示装置の動作の一例を示す図
【発明を実施するための形態】
【００１３】
＜実施例１＞
以下、本発明の実施例１に係る画像表示装置及びその制御方法について、図面を参照して説明する。
なお、本実施例では、画像表示装置が透過型の液晶表示装置である場合の例を説明するが、画像表示装置は、透過型の液晶表示装置に限らない。画像表示装置は、発光部からの光を変調することで画面に画像を表示する画像表示装置であればよい。例えば、画像表示装置は、反射型の液晶表示装置であってもよい。また、画像表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１４】
図１は、本実施例に係る画像表示装置の機能構成の一例を示すブロック図である。
本実施例に係る画像表示装置は、表示対象画像データに基づく画像を表示する。表示対象画像データは、表示対象画像を表す画像データである。本実施例に係る画像表示装置には複数の画像データ（入力画像データ）を入力することができる。入力画像データは、入力画像を表す画像データである。そして、本実施例に係る画像表示装置は、複数の画像が配置されている合成画像を表す合成画像データを、表示対象画像データとして生成することができる。
以下では、複数の入力画像データが画像表示装置に入力され、複数の入力画像が配置されている合成画像を表す合成画像データが生成される例を説明する。
【００１５】
バックライトモジュール１０８は、画面の領域を構成する複数の分割領域にそれぞれ配置されている複数の光源を有する発光部である。１つの光源は、１つ以上の発光素子を有する。発光素子としては、発光ダイオード、有機ＥＬ素子、冷陰極管、等を使用することができる。複数の光源の発光状態は、個別に制御することができる。発光状態は、発光輝度、発光色、または、それら両方である。本実施例では、発光状態が発光輝度である場合の例を説明する。
なお、１つの光源は、発光色が同じ複数の発光素子を有していてもよいし、発光色が互いに異なる複数の発光素子を有していてもよい。１つの光源が複数の発光素子を有している場合には、複数の発光素子の発光輝度の比率を制御することにより、光源の発光色を制御することができる。
【００１６】
液晶パネル１０９は、バックライトモジュール１０８からの光を透過（変調）することで画面に画像を表示する表示部である。
【００１７】
表示領域設定部１０１は、各入力画像が表示される領域（画像表示領域）を設定する。画像表示領域は、例えば、ユーザ操作に応じて設定される。そして、表示領域設定部１０１は、各画像表示領域を表す表示領域情報と、各画像表示領域間の境界の位置を表す境界位置情報と、を生成する。表示領域設定部１０１は、表示領域情報を合成部１０２へ出力し、境界位置情報をバックライト制御部１０６へ出力する。
なお、表示領域情報と境界位置情報は、予め不図示の記憶部（メモリ）に記録されていてもよい。
【００１８】
合成部１０２は、複数の入力画像データと、表示領域設定部１０１から出力された表示領域情報と、に基づいて、表示対象画像データを生成する。具体的には、合成部１０２は、表示領域情報が表す複数の画像表示領域に複数の入力画像がそれぞれ配置されている合成画像を表す合成画像データを、表示対象画像データとして生成する。合成部１０２は、合成画像データ（表示対象画像データ）を画像補正部１０７へ出力する。
【００１９】
なお、合成部１０２は、必要に応じて、入力画像を変形する画像処理を入力画像データに施す。入力画像を変形する画像処理は、例えば、入力画像を拡大する拡大処理、入力画像を縮小する縮小処理、入力画像の一部を切り出す切り出し処理、等である。合成部１０２は、例えば、領域情報が表す画像表示領域のサイズが入力画像のサイズよりも小さい場合に、入力画像のサイズを画像表示領域のサイズまで縮小する縮小処理を行う。
なお、本実施例では、合成画像に配置されている入力画像の数が２つである場合の例を説明するが、合成画像に配置されている入力画像の数は２つより多くてもよい。
【００２０】
なお、入力画像データの取得方法は特に限定されない。例えば、画像表示装置が複数の入力インタフェースを有し、複数の入力インタフェースを用いて画像表示装置の外部から複数の入力画像データが取得されてもよい。複数の入力画像データを含む１つの画像ファイルが画像表示装置の外部から取得されてもよい。複数の入力画像データの少なくともいずれかは、画像表示装置が有する不図示の記憶部から取得されてもよい。複数の入力画像データの少なくともいずれかは、他の入力画像データに所定の画像処理（エッジ強調処理、ぼかし処理、輝度変換処理、色変換処理、等）を施した画像データであってもよい。複数の入力画像データの少なくともいずれかは、画像表示装置内で生成されてもよい。画像表示装置内で生成された入力画像データは、例えば、ＯＳＤ画像、ＥＰＧ画像、または、それら両方を表す画像データである。
【００２１】
特徴量取得部１０３は、合成部１０２から合成画像データを取得する。そして、特徴量取得部１０３は、光源毎に、その光源が配置されている分割領域における表示対象画像（
合成画像）の特徴量を、合成画像データから取得する。換言すれば、特徴量取得部１０３は、分割領域毎に、その分割領域における表示対象画像（合成画像）の特徴量を、合成画像データから取得する。特徴量取得部１０３は、各光源に対して取得した特徴量を、第１輝度決定部１０４と第２輝度決定部１０５へ出力する。
特徴量は、例えば、分割領域における表示対象画像の画素値のヒストグラム、分割領域における表示対象画像の画素値の代表値、分割領域における表示対象画像の輝度値のヒストグラム、分割領域における表示対象画像の輝度値の代表値、等である。代表値は、最大値、最小値、平均値、中間値、最頻値、等である。本実施例では、特徴量として、画像の明るさを表す値が取得された場合の例を説明する。
【００２２】
本実施例では、バックライト制御部１０６の一部の機能によって、複数の光源の中から境界近傍光源が検出される。具体的には、表示対象画像が複数の画像が配置されている合成画像である場合に、複数の光源の中から、隣り合う２つの画像（第１画像と第２画像）の境界の近傍に配置されている光源が、境界近傍光源として検出される。
また、本実施例では、第１輝度決定部１０４の一部の機能、第２輝度決定部１０５の一部の機能、及び、バックライト制御部１０６の一部の機能によって、各光源の発光状態の目標状態（目標輝度）が決定される。具体的には、特徴量取得部１０３で取得された特徴量と、境界近傍光源の検出結果と、に基づいて、各光源の目標輝度が決定される。詳細は後述するが、本実施例では、表示対象画像の変化による境界近傍光源の目標輝度の変化が非境界近傍光源（境界近傍光源以外の光源）に比べて抑制されるように、光源毎に、その光源の目標輝度が、当該光源に対して取得された特徴量に基づいて決定される。
そして、本実施例では、バックライト制御部１０６の一部の機能によって、各光源の発光輝度が目標輝度に制御される。
なお、境界近傍光源を検出する処理、目標輝度を決定する処理、及び、発光輝度を制御する処理は、互いに異なる機能部によって実行されてもよい。
【００２３】
第１輝度決定部１０４は、特徴量と発光輝度の対応関係である第１対応関係を表す第１情報（関数やテーブル）を記憶する。第１輝度決定部１０４は、各光源に対して取得された特徴量を特徴量取得部１０３から取得する。そして、第１輝度決定部１０４は、光源毎に、その光源に対して取得された特徴量に対応付けられている第１対応関係の発光輝度（第１輝度）を、第１情報から取得する。第１輝度決定部１０４は、各光源に対して取得した第１輝度をバックライト制御部１０６へ出力する。
【００２４】
第２輝度決定部１０５は、特徴量と発光輝度の対応関係である第２対応関係を表す第２情報（関数やテーブル）を記憶する。第２対応関係では、特徴量に対応付けられている発光輝度の範囲が第１対応関係よりも狭い。第２輝度決定部１０５は、各光源に対して取得された特徴量を特徴量取得部１０３から取得する。そして、第２輝度決定部１０５は、光源毎に、その光源に対して取得された特徴量に対応付けられている第２対応関係の発光輝度（第２輝度）を、第２情報から取得する。第２輝度決定部１０５は、各光源に対して取得した第２輝度をバックライト制御部１０６へ出力する。
【００２５】
なお、第１対応関係と第２対応関係はメーカー等によって予め定められていてもよいし、そうでなくてもよい。例えば、第１対応関係と第２対応関係の少なくとも一方は、ユーザ操作、複数の入力画像データ、画像表示装置の設置環境、等に応じて決定されてもよい。
なお、第１情報は、第１輝度決定部１０４とは異なる機能部が記憶していてもよい。第２情報は、第２輝度決定部１０５とは異なる機能部が記憶していてもよい。画像表示装置は、第１輝度決定部１０４とは別に、第１情報を記憶する第１記憶部を有していてもよい。画像表示装置は、第２輝度決定部１０５とは別に、第２情報を記憶する第２記憶部を有していてもよい。画像表示装置は、第１輝度決定部１０４及び第２輝度決定部１０５とは
別に、第１情報と第２情報の両方を記憶する記憶部を有していてもよい。
【００２６】
バックライト制御部１０６は、表示対象画像が複数の画像が配置されている合成画像である場合に、複数の光源の中から、隣り合う２つの画像（第１画像と第２画像）の境界の近傍に配置されている光源を、境界近傍光源として検出する。本実施例では、表示領域設定部１０１から出力された境界位置情報と、各光源の位置と、に基づいて、境界近傍光源が検出される。
【００２７】
そして、バックライト制御部１０６は、境界近傍光源の検出結果に基づいて、各光源の目標輝度を決定する。具体的には、バックライト制御部１０６は、非境界近傍光源（境界近傍光源以外の光源）の目標輝度として、当該非境界近傍光源に対して第１輝度決定部１０４が決定した第１輝度を設定する。そして、バックライト制御部１０６は、境界近傍光源の目標輝度として、当該境界近傍光源に対して第２輝度決定部１０５が決定した第２輝度を設定する。
【００２８】
その後、バックライト制御部１０６は、各光源の発光輝度を目標輝度に制御する。
また、バックライト制御部１０６は、各光源の目標輝度を画像補正部１０７に出力する。
【００２９】
画像補正部１０７は、合成画像データ（表示対象画像データ）を合成部１０２から取得し、各光源の目標輝度をバックライト制御部１０６から取得する。そして、画像補正部１０７は、各光源の目標輝度に基づく画像処理を合成画像データに施すことにより、表示用画像データを生成する。例えば、目標輝度の変化による表示画像（画面に表示された画像）の最大輝度の変化を抑制する画像処理を合成画像データに施すことにより、表示用画像データが生成される。画像補正部１０７は、表示用画像データを液晶パネル１０９へ出力する。それにより、液晶パネル１０９が有する各液晶素子の透過率が、表示用画像データに応じて制御される。そして、バックライトモジュール１０８からの光が、表示用画像データに応じた透過率で各液晶素子を透過することにより、画面に画像が表示される。
【００３０】
以上述べた構成によれば、第１画像と第２画像の境界の近傍に配置されている光源が、境界近傍光源として検出される。そして、非境界近傍光源の発光輝度が、当該非境界近傍光源に対して取得された特徴量に対応付けられている第１輝度（第１対応関係の発光輝度）に制御される。また、境界近傍光源の発光輝度が、当該境界近傍光源に対して取得された特徴量に対応付けられている第２輝度（第２対応関係の発光輝度）に制御される。
ここで、第２対応関係では、特徴量に対応付けられている発光輝度の範囲が第１対応関係よりも狭い。換言すれば、第１対応関係では、特徴量に対応付けられている発光輝度の範囲が第２対応関係よりも広い。
これにより、表示対象画像の変化による境界近傍光源の発光輝度（目標輝度）の変化を、非境界近傍光源に比べて抑制することができる。
その結果、複数の画像を並べて表示する多画像表示時に従来のローカルディミング制御を行うことによって生じる表示画像の画質劣化を、表示画像のダイナミックレンジやコントラストの低下を抑制しつつ、抑制することができる。具体的には、非境界近傍光源の発光輝度は広い範囲で制御されるため、第１画像と第２画像の境界から離れた領域では、ダイナミックレンジが広い表示画像やコントラストが高い表示画像を得ることができる。そして、境界近傍光源の発光輝度は狭い範囲で制御されるため、第１画像の端部（境界近傍光源からの光が照射される領域）では、第２画像の特徴量の変動による表示輝度の変動を抑制することができる。同様に、第２画像の端部（境界近傍光源からの光が照射される領域）では、第１画像の特徴量の変動による表示輝度の変動を抑制することができる。
【００３１】
第１対応関係と第２対応関係の一例を図２に示す。図２は、特徴量が８ビットの値（０
〜２５５）である場合の例を示す。上述したように、本実施例では、特徴量は、画像の明るさを表す。
なお、特徴量のビット数は８ビットより大きくても小さくてもよい。
図２の符号Ａは第１対応関係を示し、符号Ｂは第２対応関係を示す。第１輝度決定部１０４は、第１対応関係Ａに従って第１輝度を決定し、第２輝度決定部１０５は、第２対応関係Ｂに従って第２輝度を決定する。
また、図２の符号ＲＡは、第１対応関係において特徴量に対応付けられている発光輝度の範囲を示し、符号ＲＢは、第２対応関係において特徴量に対応付けられている発光輝度の範囲を示す。図２に示すように、本実施例では、範囲ＲＢが範囲ＲＡよりも狭い。そのため、第２対応関係では、特徴量の変化による発光輝度の変化が第１対応関係よりも小さい。
【００３２】
また、図２の符号ｍＡは、第１対応関係の発光輝度の最低値を示し、符号ｍＢは、第２対応関係の発光輝度の最低値を示す。図２の例では、第２対応関係の発光輝度の最低値ｍＢは、第１対応関係の発光輝度の最低値ｍＡよりも高い（大きい）。
人間の視覚は、暗部の変化に敏感である。そのため、最低値ｍＢとして最低値ｍＡよりも高い値を使用することにより、上述した表示輝度の変動（第１画像と第２画像の境界の近傍における表示輝度の変動）を知覚し難くすることができる。また、第１画像と第２画像の境界から離れた領域では、表示画像の黒レベル（黒色の表示輝度）を低減することができ、黒浮きの発生を抑制することができる。
【００３３】
そして、図２では、大きい特徴量に対応付けられている第１対応関係の発光輝度と第２対応関係の発光輝度との差が、小さい特徴量に対応付けられている第１対応関係の発光輝度と第２対応関係の発光輝度との差よりも小さい。図２では、大きい特徴量は高い明るさを表し、小さい特徴量は低い明るさを表す。具体的には、図２では、第１対応関係の発光輝度と第２対応関係の発光輝度との差が、特徴量（特徴量が表す明るさ）の増加に伴って線形に減少する。図２では、第１対応関係の発光輝度の最大値は、第２対応関係の発光輝度の最大値と同じ値Ｍである。
それにより、境界近傍光源に対して取得された特徴量が大きいほど、境界近傍光源と非境界近傍光源の制御方法の違いを知覚し難くすることができる。そして、第１画像と第２画像の境界の近傍において、境界近傍光源に対して取得された特徴量が大きいほど、他の領域との表示輝度や表示色（画面上の色）の違いを知覚し難くすることができる。
【００３４】
なお、第１対応関係と第２対応関係は図２に示す対応関係に限らない。例えば、第１対応関係と第２対応関係の少なくとも一方は、特徴量の増加に伴って発光輝度が段階的に増加する対応関係であってもよい。第２対応関係の発光輝度の最低値が第１対応関係の発光輝度の最低値よりも低くてもよい。第１対応関係の発光輝度の最大値は、第２対応関係の発光輝度の最大値よりも高くても低くてもよい。
【００３５】
境界近傍光源の検出方法について、図３（ａ）〜３（ｃ）を用いて詳しく説明する。
本実施例では、表示領域設定部１０１は、第１画像と第２画像（第１画像の画像表示領域と第２画像の画像表示領域）の配列方向における、第１画像と第２画像の中心位置を、第１画像と第２画像の境界の位置として表す境界位置情報を生成する。なお、第１画像と第２画像の中心位置からずれた位置が、第１画像と第２画像の境界の位置として使用されてもよい。
そして、バックライト制御部１０６は、第１画像が表示される領域と、第２画像が表示される領域と、の両方に光を照射する光源を、境界近傍光源として検出する。
【００３６】
図３（ａ）〜３（ｃ）の符号ｄは、境界の位置から第１画像または第２画像までの距離を示す。本実施例では、第１画像と第２画像の中心位置が境界の位置として使用されるた
め、境界の位置から第１画像までの距離は、境界の位置から第２画像までの距離と等しい。
また、図３（ａ）〜３（ｃ）の符号Ｋ１〜Ｋ３は、光源が配置されている位置を示す。
図３（ａ）〜３（ｃ）に示すように、本実施例では、光源は、画面の領域のうち、当該光源が配置されている位置Ｋ１〜Ｋ３から半径ｒの領域に光を照射する。
距離ｄは、境界の位置と画像表示領域とに基づいて算出することができる。距離ｄは、境界位置情報に含まれていてもよいし、バックライト制御部１０６（または他の機能部）が算出してもよい。
位置Ｋ１〜Ｋ３及び半径ｒは予め定められている。
バックライト制御部１０６は、ｐ≦ｒ−ｄ（ｐは、光源から境界の位置までの距離）を満たす光源を、境界近傍光源として検出する。図３（ａ）〜３（ｃ）の例では、位置Ｋ１の光源は境界近傍光源として検出されず、位置Ｋ２，Ｋ３の光源は境界近傍光源として検出される。
【００３７】
なお、境界近傍光源の検出方法は上記方法に限らない。例えば、光源が光を照射する領域（照射領域）を表す照射領域情報が予め用意されていてもよい。そして、照射領域情報が表す照射領域と、表示領域情報が表す画像表示領域と、に基づいて、第１画像が表示される領域と、第２画像が表示される領域と、の両方に光を照射する光源が、境界近傍光源として検出されてもよい。
【００３８】
図１７（ａ）〜１７（ｃ）及び図４（ａ）〜４（ｃ）を用いて、本実施例の効果について詳しく説明する。
図１７（ａ）〜１７（ｃ）は、従来の画像表示装置の動作の一例を示し、図４（ａ）〜４（ｃ）は、本実施例に係る画像表示装置の動作の一例を示す。図１７（ａ）〜１７（ｃ）及び図４（ａ）〜４（ｃ）では、左側に現フレームの情報が記載されており、右側に次フレーム（現フレームの次のフレーム）の情報が記載されている。
図１７（ａ）と図４（ａ）は、表示対象画像（合成画像）を示す。図１７（ａ）と図４（ａ）では、画像データの輝度値の増加に伴って色が黒から白に変化するように、画像データの輝度値が色で表現されている。図１７（ａ）と図４（ａ）では、合成画像に、第１画像と第２画像とが配置されている。
図１７（ｂ）と図４（ｂ）は、各光源（分割領域）の発光輝度を示す。図１７（ｂ）と図４（ｂ）では、水平方向５個×垂直方向５個の合計２５個の光源（分割領域）が配置されている。図１７（ｂ）と図４（ｂ）では、発光輝度の増加に伴って色が黒から白に変化するように、発光輝度が色で表現されている。３列目の光源が、第１画像が表示される領域と第２画像が表示される領域との両方に光を照射する境界近傍光源である。
図１７（ｃ）と図４（ｃ）は、表示画像を示す。図１７（ｃ）と図４（ｃ）では、表示輝度の増加に伴って色が黒から白に変化するように、表示輝度が色で表現されている。
なお、光源の配置及び数は特に限定されない。例えば、光源の数は２５個より多くても少なくてもよい。また、複数の光源は千鳥格子状に配置されていてもよい。
【００３９】
図１７（ａ）では、現フレームから次フレームにかけて、第１画像が変化している。そして、第１画像の変化によって、境界近傍光源が配置されている分割領域における合成画像が、暗い画像から、暗い領域と明るい領域とを含む画像に変化している。
従来の画像表示装置では、図１７（ｂ）に示すように、境界近傍光源が配置されている分割領域における合成画像の明るさ（特徴量）の変化に応じて、境界近傍光源の発光輝度が大きく変化する。
そのため、従来の画像表示装置では、図１７（ｃ）に示すように、第１画像の変化に伴って、第２画像の表示輝度が大きく変化してしまう。具体的には、第２画像の黒浮きの度合いが大きく変化してしまう。このような表示輝度の変化は、ちらつき（フリッカ）として知覚されてしまう。
【００４０】
図４（ａ）でも、図１７（ａ）と同様に、現フレームから次フレームにかけて、第１画像が変化している。そして、第１画像の変化によって、境界近傍光源が配置されている分割領域における合成画像が、暗い画像から、暗い領域と明るい領域とを含む画像に変化している。
しかしながら、本実施例では、図４（ｂ）に示すように、境界近傍光源が配置されている分割領域における合成画像の明るさ（特徴量）の変化に応じた境界近傍光源の発光輝度の変化が、従来の画像表示装置に比べて抑制される。具体的には、境界近傍光源が配置されている分割領域における合成画像の明るさが低下した場合に、境界近傍光源の発光輝度が低下しすぎないように、境界近傍光源の発光輝度が制御される。
それにより、本実施例では、図４（ｃ）に示すように、第１画像の変化に伴う第２画像の表示輝度の変化を低減することができる。具体的には、第２画像の黒浮きの変化を低減することができる。
【００４１】
さらに本実施例では、非境界近傍光源の発光輝度は広い範囲で制御される。具体的には、非境界近傍光源が配置されている分割領域における合成画像の明るさが低下した場合に、非境界近傍光源の発光輝度が十分に低下するように、非境界近傍光源の発光輝度が制御される。それにより、第１画像と第２画像の境界から離れた領域において、黒浮きを十分に低減することができる。そして、第１画像と第２画像の境界から離れた領域において、ダイナミックレンジが広い表示画像やコントラストが高い表示画像を得ることができる。
【００４２】
従来の画像表示装置と本実施例に係る画像表示装置の動作の具体例について、図６（ａ），６（ｂ）を用いて説明する。図６（ａ），６（ｂ）は、暗いメイン画像上にＯＳＤ画像が重畳された合成画像（表示対象画像）を表示する場合の例を示す。図６（ａ）は、従来の画像表示装置の動作の具体例を示し、図６（ｂ）は、本実施例に係る画像表示装置の動作の具体例を示す。
図６（ａ），６（ｂ）のＯＳＤ画像には、３つの項目１〜３が示されており、ユーザ操作に応じて項目１〜３のいずれかが選択される。選択項目（選択されている項目）の輝度値として、他の項目よりも高い値が設定される。
図６（ａ），６（ｂ）は、選択項目が項目１から項目３へ遷移する例を示している。
【００４３】
図６（ａ）に示すように、従来の画像表示装置では、選択項目周辺に配置されている光源の発光輝度が高い値に制御され、それ以外の光源の発光輝度が低い値に制御される。そのため、メイン画像の端部（ＯＳＤ画像側の端部）の黒浮きが視認され、黒浮きが視認される領域がユーザ操作に応じて遷移する。そして、従来の画像表示装置では、黒浮きの変化が大きい。このように、従来の画像表示装置では、黒浮きの変化が大きく、且つ、黒浮きの変化がユーザ操作に応じて遷移するため、黒浮きの変化が妨害として知覚されやすい。
【００４４】
図６（ｂ）に示すように、本実施例では、メイン画像とＯＳＤ画像の境界の近傍に配置されている光源の発光輝度の変化が抑制されるため、黒浮きの変化を抑制することができる。その結果、黒浮きの変化を知覚し難くすることができる。
【００４５】
従来技術の課題と本実施例の効果について補足する。
一般的に、光源の発光輝度が急激に変化すると、黒浮きの度合い変化が妨害として視認されてしまう。
従来技術として、光源の発光輝度の時間変化が抑制されるように、各光源の発光輝度を制御する技術が提案されている。そのような従来技術を用いれば、黒浮きの変化を視認し難くすることができる。しかしながら、そのような従来技術を用いると、光源の発光輝度を十分に高めることができず、表示画像の画質劣化が生じてしまうことがある。
なお、画像処理によって表示輝度を高めることはできる。しかしながら、画素値には上限値があるため、画像処理を行っても十分な表示輝度が得られず、表示画像の画質劣化が生じてしまうことがある。
【００４６】
合成画像データではない画像データ（１つの画像のみを表す画像データ）では、時間的及び空間的な画像の相関（類似度）が高い。そのため、そのような画像データに基づく画像を表示する際に光源の発光輝度の急激な変化が頻繁に生じるとは考えにくい。
しかしながら、合成画像データでは、合成画像に配置されている複数の画像間の相関が低く、時間的及び空間的な画像の相関も低い。そのため、合成画像データに基づく画像を表示する際に光源の発光輝度の急激な変化が高い頻度で生じると考えられる。具体的には、第１画像と第２画像の境界の近傍に配置されている光源の発光輝度の急激な変化が高い頻度で生じると考えられる。
【００４７】
そこで、本実施例では、合成画像データに基づく画像を表示する際に、境界近傍光源の発光輝度の変動を、非境界近傍光源に比べて抑制する。それにより、第１画像と第２画像の境界の近傍における表示輝度の変動を、表示画像のダイナミックレンジやコントラストの低下を抑制しつつ、抑制することができる。
【００４８】
以上述べたように、本実施例によれば、多画像表示時に従来のローカルディミング制御を行うことによって生じる表示画像の画質劣化を、表示画像のダイナミックレンジやコントラストの低下を抑制しつつ、抑制することができる。
【００４９】
なお、境界近傍光源の検出方法は、上述した方法に限らない。
例えば、第１画像と第２画像の境界の位置までの距離が第１閾値以下である光源が、境界近傍光源として検出されてもよい。
また、境界の位置よりも第１画像が表示される領域の側に配置されている境界近傍光源（第１光源）と、境界の位置よりも第２画像が表示される領域の側に配置されている境界近傍光源（第２光源）と、が互いに異なる閾値を用いて検出されてもよい。第１光源は、境界の位置よりも第１画像が表示される領域の側に配置されており、且つ、境界の位置までの距離が第２閾値以下である光源である。第２光源は、境界の位置よりも第２画像が表示される領域の側に配置されており、且つ、境界の位置までの距離が第３閾値以下である光源である。第２閾値として大きい値を使用し、第３閾値として小さい値を使用すれば、第１画像の特徴量の変化が第２画像の表示輝度に及ぼす影響を低減することができる。また、第２閾値として大きい値を使用し、第３閾値として小さい値を使用すれば、境界の位置よりも第２画像が表示される領域の側に配置されている光源の多くを、非境界近傍光源として使用することができる。その結果、第２画像のダイナミックレンジがより広い表示画像や第２画像のコントラストがより高い表示画像を得ることができる。
なお、第１閾値、第２閾値、及び、第３閾値はメーカー等によって予め定められていてもよいし、そうでなくてもよい。例えば、第１閾値、第２閾値、及び、第３閾値の少なくともいずれかは、ユーザ操作、複数の入力画像データ、画像表示装置の設置環境、等に応じて決定されてもよい。
なお、第１輝度は非境界近傍光源に対してのみ取得されてもよいし、第２輝度は境界近傍光源に対してのみ取得されてもよい。
【００５０】
なお、境界近傍光源の目標輝度の決定方法は、上述した方法に限らない。
例えば、境界近傍光源の目標状態は、以下の条件１，２を満たすように決定されてもよい。
条件１：境界近傍光源から境界の位置までの距離が短いほど、当該境界近傍光源の目標輝度が、当該境界近傍光源に対して取得された特徴量に対応付けられている第２輝度に近い。
条件２：境界近傍光源から境界の位置までの距離が長いほど、当該境界近傍光源の目標輝度が、当該境界近傍光源に対して取得された特徴量に対応付けられている第１輝度に近い。
このような目標輝度は、境界近傍光源に対して取得された特徴量に対応付けられている第１輝度と第２輝度とを当該境界近傍光源から境界の位置までの距離に応じた重みで重みづけ合成することにより、決定することができる。
【００５１】
重みづけ合成によって境界近傍光源の目標輝度を決定する場合の例を図５（ａ）〜５（ｃ）に示す。図５（ａ）〜５（ｃ）では、左側に現フレームの情報が記載されており、右側に次フレームの情報が記載されている。
図５（ａ）は、表示対象画像（合成画像）を示す。図５（ａ）は、図４（ａ）と同じである。図５（ｂ）は、各光源（分割領域）の発光輝度を示す。２〜４列目の光源が、第１画像が表示される領域と第２画像が表示される領域との両方に光を照射する境界近傍光源である。図５（ｃ）は、表示画像を示す。
【００５２】
ここでは、境界近傍光源に対して取得された特徴量に対応付けられている第１輝度と第２輝度とを当該境界近傍光源から境界の位置までの距離に応じた重みで重みづけ合成することにより、当該境界近傍光源の目標輝度が決定される。
そのため、図５（ｂ）では、３列目の光源と４列目の光源に対しては現フレームの特徴量として同じ値が取得されるが、４列目の光源の発光輝度は、３列目の光源の発光輝度よりも低い値に制御されている。
そして、図５（ｃ）に示すように、重みづけ合成によって境界近傍光源の目標輝度を決定する構成においても、第１画像と第２画像の境界の近傍における表示輝度の変化を低減することができる。また、図５（ｃ）に示すように、重みづけ合成によって境界近傍光源の目標輝度を決定することにより、境界の近傍の領域と境界から離れた領域との間での表示輝度の急激な変化を抑制することができる。
【００５３】
＜実施例２＞
以下、本発明の実施例２に係る画像表示装置及びその制御方法について、図面を参照して説明する。
実施例１では、画像表示装置が、複数の入力画像データを外部から取得し、複数の入力画像データに基づいて合成画像データを生成する例を説明した。また、実施例１では、画像表示装置が、ユーザ操作に応じて表示領域情報と境界位置情報を生成する例を説明した。
本実施例では、画像表示装置が、合成画像データ、表示領域情報、及び、境界位置情報を外部から取得する例を説明する。
外部から取得される表示領域情報は、例えば、外部装置（例えばＰＣ）内で動作するマルチウィンドウＯＳのウィンドウ位置情報、外部装置内で動作するウェブブラウザや画像ビューアなどが管理している表示位置情報、等である。
【００５４】
図７は、本実施例に係る画像表示装置の機能構成の一例を示すブロック図である。
図７において、実施例１（図１）と同じ機能部には実施例１と同じ符号を付し、その説明は省略する。
【００５５】
画像表示装置の外部から取得された合成画像データは、特徴量取得部１０３と画像補正部１０７に入力される。
表示領域設定部２０１は、画像表示装置の外部から表示領域情報と境界位置情報を取得する。そして、表示領域設定部２０１は、表示領域情報と境界位置情報をバックライト制御部１０６へ出力する。表示領域情報と境界位置情報の少なくとも一方は、例えば、合成画像データのヘッダ領域に重畳されている。そして、表示領域設定部２０１は、表示領域
情報と境界位置情報の少なくとも一方を、合成画像データから抽出する。
なお、表示領域情報と境界位置情報の少なくとも一方は、合成画像データから独立して画像表示装置に入力されてもよい。例えば、表示領域情報と境界位置情報の少なくとも一方は、専用の通信線を用いて画像表示装置に入力されてもよい。
なお、実施例１で述べたように、表示領域情報はバックライト制御部１０６で使用されないことがある。そのため、表示領域設定部２０１は、境界位置情報を取得すればよく、表示領域情報を取得しなくてもよい。
なお、境界位置情報は、画像表示装置の外部から取得されなくてもよい。表示領域設定部２０１は、表示領域情報が表す画像表示領域に基づいて境界位置情報を生成してもよい。
【００５６】
本実施例では、実施例１と同様に、第１画像と第２画像の境界の近傍に配置されている光源が、境界近傍光源として検出される。そして、非境界近傍光源の発光輝度が、当該非境界近傍光源に対して取得された特徴量に対応付けられている第１輝度（第１対応関係の発光輝度）に制御される。また、境界近傍光源の発光輝度が、当該境界近傍光源に対して取得された特徴量に対応付けられている第２輝度（第２対応関係の発光輝度）に制御される。
その結果、実施例１と同様に、複数の画像を並べて表示する多画像表示時に従来のローカルディミング制御を行うことによって生じる表示画像の画質劣化を、表示画像のダイナミックレンジやコントラストの低下を抑制しつつ、抑制することができる。
【００５７】
従来の画像表示装置と本実施例に係る画像表示装置の動作の具体例について、図８（ａ），８（ｂ）を用いて説明する。図８（ａ），８（ｂ）は、暗い背景画像上にビューア画像が重畳された合成画像（表示対象画像）を表示する場合の例を示す。図８（ａ）は、従来の画像表示装置の動作の具体例を示し、図８（ｂ）は、本実施例に係る画像表示装置の動作の具体例を示す。
ビューア画像の領域には、動画像が表示されたり、複数の画像（動画像や静止画像）が切り替えられて表示されたりする。そのため、ビューア画像の輝度値は頻繁に変化する。
図８（ａ），８（ｂ）は、ビューア画像の輝度値が増加する例を示している。
【００５８】
図８（ａ）に示すように、従来の画像表示装置では、ビューア画像の明るさの変化に応じて、ビューア画像が表示される領域の近傍に配置されている光源の発光輝度が大きく変化する。そのため、ビューア画像の明るさの変化に応じて、背景画像の端部（ビューア画像側の端部）の黒浮きの度合いが大きく変化する。このように、従来の画像表示装置では、黒浮きの変化が大きいため、黒浮きの変化が妨害として知覚されやすい。
【００５９】
図８（ｂ）に示すように、本実施例では、背景画像とビューア画像の境界の近傍に配置されている光源の発光輝度の変化が抑制されるため、黒浮きの変化を抑制することができる。その結果、黒浮きの変化を知覚し難くすることができる。
【００６０】
以上述べたように、本実施例によれば、合成画像データ、表示領域情報、及び、境界位置情報が画像表示装置の外部から取得される場合において、実施例１と同様の効果を得ることができる。
【００６１】
＜実施例３＞
以下、本発明の実施例３に係る画像表示装置及びその制御方法について、図面を参照して説明する。
図９，１０は、本実施例に係る画像表示装置の機能構成の一例を示すブロック図である。図９は、複数の入力画像データが画像表示装置の外部から取得される場合の例を示し、図１０は、合成画像データ、表示領域情報、及び、境界位置情報が画像表示装置の外部か
ら取得される場合の例を示す。
図９，１０において、実施例１，２（図１，７）と同じ機能部には実施例１，２と同じ符号を付し、その説明は省略する。
【００６２】
特徴量取得部３０３は、実施例１，２の特徴量取得部１０３と同じ処理を実行する。
さらに、特徴量取得部３０３は、第１取得処理と第２取得処理を実行する。第１取得処理は、第１画像の特徴量である第１特徴量を取得する処理である。第２取得処理は、第２画像の特徴量である第２特徴量を取得する処理である。特徴量取得部３０３は、第１特徴量と第２特徴量を、特徴量比較部３１０へ出力する。
【００６３】
第１特徴量と第２特徴量の取得方法について説明する。
特徴量取得部３０３は、表示領域設定部１０１または表示領域設定部２０１から表示領域情報を取得する。そして、特徴量取得部３０３は、各光源に対して取得した特徴量と、表示領域情報と、に基づいて、第１特徴量と第２特徴量を取得する。
本実施例では、特徴量取得部３０３は、表示領域情報に基づいて、複数の分割領域の中から第１分割領域と第２分割領域を検出する。第１分割領域は、第１画像が表示され、且つ、第２画像が表示されない分割領域である。第２分割領域は、第１画像が表示されず、且つ、第２画像が表示される分割領域である。そして、特徴量取得部３０３は、第１分割領域における合成画像（表示対象画像）の特徴量を、第１特徴量として取得する。複数の第１分割領域が存在する場合には、特徴量取得部３０３は、各第１分割領域における合成画像の特徴量を代表する代表特徴量を、第１特徴量として取得する。また、特徴量取得部３０３は、第２分割領域における合成画像（表示対象画像）の特徴量を、第２特徴量として取得する。複数の第２分割領域が存在する場合には、特徴量取得部３０３は、各第２分割領域における合成画像の特徴量を代表する代表特徴量を、第２特徴量として取得する。代表特徴量は、特徴量の最大値、最小値、平均値、最頻値、中間値、等である。代表特徴量は、特徴量の平均値または最頻値であることが好ましい。
【００６４】
なお、第１取得処理と第２取得処理の少なくとも一方は、特徴量取得部３０３とは異なる機能部によって実行されてもよい。
なお、第１特徴量と第２特徴量との取得方法は、上記方法に限らない。例えば、第１画像を表す画像データから、第１特徴量が取得され、第２画像を表す画像データから、第２特徴量が取得されてもよい。第１画像を表す画像データ、及び、第２画像を表す画像データは、合成画像データから抽出されてもよいし、画像表示装置の外部などから取得されてもよい。
なお、第１特徴量と第２特徴量は、上記特徴量に限らない。例えば、第１特徴量は、第１画像全体の画素値（又は輝度値）のヒストグラムや代表値であってもよい。第２特徴量は、第２画像全体の画素値（又は輝度値）のヒストグラムや代表値であってもよい。
なお、第１分割領域と第２分割領域は、上記分割領域に限らない。例えば、少なくとも第１画像が表示される分割領域が、第１分割領域として検出されてもよい。少なくとも第２画像が表示される分割領域が、第２分割領域として検出されてもよい。そして、第１画像と第２画像の両方が表示される分割領域が、第１分割領域及び第２分割領域として検出されてもよい。第１画像が表示され、且つ、第１画像の表示サイズが第２画像の表示サイズよりも大きい分割領域が、第１分割領域として検出されてもよい。第２画像が表示され、且つ、第２画像の表示サイズが第１画像の表示サイズよりも大きい分割領域が、第２分割領域として検出されてもよい。
【００６５】
特徴量比較部３１０は、特徴量取得部３０３から第１特徴量と第２特徴量を取得し、第１特徴量と第２特徴量との差（絶対値）が第５閾値未満であるか否かを判断する。そして、特徴量比較部３１０は、第１特徴量と第２特徴量との差が第５閾値以上である場合に、変化抑制指示をバックライト制御部３０６へ出力する。特徴量比較部３１０は、第１特徴
量と第２特徴量との差が第５閾値未満である場合には、変化抑制指示をバックライト制御部３０６へ出力しない。
なお、第５閾値は、メーカー等によって予め定められていてもよいし、そうでなくてもよい。例えば、第５閾値は、ユーザ操作、合成画像に配置されている複数の画像、画像表示装置の設置環境、等に応じて決定されてもよい。
【００６６】
特徴量比較部３１０から変化抑制指示が出力された場合に、バックライト制御部３０６は、実施例１，２のバックライト制御部１０６と同じ処理を実行する。従って、第１特徴量と第２特徴量との差が第５閾値以上である場合には、実施例１，２と同様の効果が得られる。
特徴量比較部３１０から変化抑制指示が出力されなかった場合には、バックライト制御部３０６は、境界近傍光源を非境界近傍光源とみなして、各光源の目標輝度を決定する。即ち、第１特徴量と第２特徴量との差が第５閾値未満である場合には、バックライト制御部３０６は、境界近傍光源を非境界近傍光源とみなして、各光源の目標輝度を決定する。本実施例では、特徴量比較部３１０から変化抑制指示が出力されなかった場合には、バックライト制御部３０６は、各光源の目標輝度として、第１輝度決定部１０４から出力された第１輝度を設定する。そして、バックライト制御部３０６は、各光源の発光輝度を目標輝度に制御する。
【００６７】
図１１（ａ），１１（ｂ）を用いて、本実施例の効果について説明する。図１１（ａ）は、第１特徴量と第２特徴量の差が第５閾値未満である場合の例を示し、図１１（ｂ）は、第１特徴量と第２特徴量の差が第５閾値以上である場合の例を示す。ここでは、特徴量が、画像の明るさを表し、第１特徴量と第２特徴量の差が、第１画像の明るさと第２画像の明るさとの差を表す場合の例を説明する。
【００６８】
本実施例では、第１特徴量と第２特徴量との差が第５閾値未満である場合には、境界近傍光源が非境界近傍光源とみなされ、境界近傍光源の発光輝度も非境界近傍光源と同様に広い範囲で制御される。
図１１（ａ）に示すように、第１画像と第２画像の明るさが同等である場合には、境界の近傍における表示輝度の変動は知覚され難い。例えば、第１画像と第２画像の両方が明るい画像である場合は、人間の目は明るい表示輝度に順応し、低い表示輝度に対する人間の目の感度は低下する。そのため、第１画像と第２画像の両方が明るい画像である場合は、境界の近傍における表示輝度の変動は知覚され難い。従って、第１画像と第２画像の明るさが同等である場合には、境界近傍光源を非境界近傍光源とみなしても問題は無い。
そして、上述したように、第１特徴量と第２特徴量との差が第５閾値未満である場合には、境界近傍光源の発光輝度も非境界近傍光源と同様に広い範囲で制御される。それにより、第１特徴量と第２特徴量との差が第５閾値未満である場合に、実施例１，２に比べて黒浮きが低減された表示画像を得ることができる。そして、第１特徴量と第２特徴量との差が第５閾値未満である場合に、実施例１，２に比べてダイナミックレンジが広い表示画像や実施例１，２に比べてコントラストが高い表示画像を得ることができる。
【００６９】
図１１（ｂ）に示すように、第１画像と第２画像の明るさが大きく異なる場合には、境界の近傍における表示輝度の変動は知覚され易い。
本実施例では、第１特徴量と第２特徴量との差が第５閾値以上である場合には、実施例１，２と同様に、境界近傍光源の発光輝度の変化を抑制する処理が実行される。それにより、第１特徴量と第２特徴量との差が第５閾値以上である場合に、境界の近傍における表示輝度の変化を抑制することができる。
【００７０】
以上述べたように、本実施例によれば、第１特徴量と第２特徴量との差が第５閾値以上である場合に限って、境界近傍光源の発光輝度の変化を抑制する処理が行われる。そして
、第１特徴量と第２特徴量との差が第５閾値未満である場合には、境界近傍光源が非境界近傍光源とみなされる。それにより、境界の近傍における表示輝度の変化が知覚され易い場合に、実施例１，２と同様の効果を得ることができる。そして、境界の近傍における表示輝度の変化が知覚され難い場合に、実施例１，２よりもダイナミックレンジが広い表示画像や実施例１，２よりもコントラストが高い表示画像を得ることができる。
【００７１】
なお、本実施例では、第１特徴量と第２特徴量との差が第５閾値未満である場合に、境界近傍光源を非境界近傍光源とみなす例を説明したが、これに限らない。例えば、合成画像（表示対象画像）の変化による境界近傍光源の目標輝度の変化が、非境界近傍光源に比べて、第１特徴量と第２特徴量の差が大きいほど大きく抑制されるように、各光源の目標輝度が決定されてもよい。このような処理は、例えば、第１特徴量と第２特徴量の差に応じた重みで第１輝度と第２輝度を合成した値を、境界近傍光源の目標輝度として設定することにより実現できる。このような処理を行うことにより、より適切な表示画像を得ることができる。具体的には、表示輝度の変化の知覚し易さに応じて、境界の近傍における表示輝度の変化の抑制度合いを連続的（又は段階的）に変更することができる。また、表示輝度の変化の知覚し易さに応じて、境界の近傍における表示画像のダイナミックレンジやコントラストを連続的（又は段階的）に変更することができる。
【００７２】
＜実施例４＞
以下、本発明の実施例４に係る画像表示装置及びその制御方法について、図面を参照して説明する。
本実施例に係る画像表示装置の構成は、実施例１〜３（図１，７，９，１０）と同じである。本実施例では、第２対応関係が実施例１〜３と異なる。
【００７３】
本実施例に係る第１対応関係と第２対応関係の一例を図１２（ａ）に示す。図１２（ａ）は、特徴量が８ビットの値（０〜２５５）である場合の例を示す。本実施例では、特徴量は、画像の明るさを表す。
図１２（ａ）に示すように、本実施例でも、第２対応関係Ｂにおいて特徴量に対応付けられている発光輝度の範囲ＲＢは、第１対応関係Ａにおいて特徴量に対応付けられている発光輝度の範囲ＲＡよりも狭い。
また、図１２（ａ）に示すように、本実施例でも、第２対応関係Ｂの発光輝度の最低値ｍＢは、第１対応関係Ａの発光輝度の最低値ｍＡよりも高い（大きい）。
また、図１２（ａ）に示すように、本実施例でも、大きい特徴量に対応付けられている第１対応関係の発光輝度と第２対応関係の発光輝度との差が、小さい特徴量に対応付けられている第１対応関係の発光輝度と第２対応関係の発光輝度との差よりも小さい。
【００７４】
但し、本実施例に係る第２対応関係Ｂでは、閾値Ｔ未満の特徴量に対して、当該特徴量に対応付けられている第１対応関係Ａの発光輝度よりも高い発光輝度が対応付けられている。そして、閾値Ｔ以上の特徴量に対しては、当該特徴量に対応付けられている第１対応関係Ａの発光輝度と同じ発光輝度が対応付けられている。閾値Ｔ未満の特徴量は、第４閾値未満の明るさを表し、閾値Ｔ以上の特徴量は、第４閾値以上の明るさを表す。
【００７５】
そのため、本実施例では、境界近傍光源に対して取得された特徴量が閾値Ｔ未満の場合に、表示対象画像（合成画像）の変化による境界近傍光源の発光輝度の変化が非境界近傍光源に比べて抑制されるように、境界近傍光源の発光輝度が制御される。その結果、境界の近傍における表示輝度の変化を抑制することができる。
そして、境界近傍光源に対して取得された特徴量が閾値Ｔ以上の場合には、非境界近傍光源と同様の方法（基準）で、境界近傍光源の発光輝度が制御される。その結果、黒浮きがより低減された表示画像を得ることができる。また、ダイナミックレンジがより広い表示画像やコントラストがより高い表示画像を得ることができる。さらに、非境界近傍光源
と同様の方法（基準）で境界近傍光源の発光輝度が制御することにより、境界近傍光源の発光輝度をより低い値に制御することができるため、消費電力を低減することができる。
【００７６】
なお、黒浮きや表示輝度の変動は、画像が暗いほど知覚され易く、画像が明るいほど知覚され難い。そのため、境界近傍光源に対して取得された特徴量が閾値Ｔ以上の場合には、黒浮きや表示輝度の変動は知覚され難く、非境界近傍光源と同様の方法で境界近傍光源の発光輝度を制御しても問題は無い。
なお、閾値Ｔや第４閾値は、メーカー等によって予め定められていてもよいし、そうでなくてもよい。例えば、閾値Ｔや第４閾値は、ユーザ操作、合成画像に配置されている複数の画像、画像表示装置の設置環境、等に応じて決定されてもよい。
【００７７】
以上述べたように、本実施例によれば、境界の近傍における表示輝度の変化が知覚され易い場合に、境界の近傍における表示輝度の変化を抑制することができる。そして、境界の近傍における表示輝度の変化が知覚され難い場合に、ダイナミックレンジがより広い表示画像やコントラストがより高い表示画像を得ることができる。
【００７８】
第２対応関係は上述した対応関係に限らない。例えば、図１２（ｂ）に示す対応関係Ｂが第２対応関係として使用されてもよい。図１２（ｂ）では、第１対応関係Ａの発光輝度と第２対応関係Ｂの発光輝度との差が、特徴量（特徴量が表す明るさ）の増加に伴って指数関数的に減少している。図１２（ａ）に示す第２対応関係Ｂでは、傾き（特徴量の変化に対する境界近傍光源の発光輝度の変化）が、閾値Ｔで不連続に変化する。そのため、図１２（ａ）に示す第２対応関係Ｂを使用すると、傾きの切り替わりが妨害として知覚されてしまう虞がある。図１２（ｂ）に示す第２対応関係Ｂでは、傾きが連続的に変化するため、上記妨害が知覚されることを抑制することができる。
【００７９】
＜実施例５＞
以下、本発明の実施例５に係る画像表示装置及びその制御方法について、図面を参照して説明する。
本実施例に係る画像表示装置の構成は、実施例１〜４（図１，７，９，１０）と同じである。本実施例では、バックライト制御部の処理が実施例１〜４と異なる。
【００８０】
本実施例に係るバックライト制御部は、実施例１〜４のバックライト制御部と同様に、各光源の目標輝度を決定する。そして、本実施例に係るバックライト制御部は、複数の境界近傍光源が存在する場合に、各境界近傍光源の目標輝度を、各境界近傍光源に対して決定した目標輝度を代表する代表目標輝度に補正する。その後、本実施例に係るバックライト制御部は、各光源の発光輝度を目標輝度に制御する。代表目標輝度は、目標輝度の最大値、最小値、平均値、最頻値、中間値、等である。表示用画像データ（画像補正部１０７による画像処理後の画像データ）の画素値が上限値に制限されることを抑制するために、代表目標輝度は、目標輝度の最大値であることが好ましい。
【００８１】
図１３（ａ），１３（ｂ）を用いて、本実施例の効果について詳しく説明する。
図１３（ａ）は、従来の画像表示装置の表示画像の一例を示し、図１３（ｂ）は、本実施例に係る画像表示装置の表示画像の一例を示す。図１３（ａ）では、左側に現フレームの表示画像が示されており、右側に次フレーム（現フレームの次のフレーム）の表示画像が示されている。図１３（ｂ）は、現フレームの表示画像を示す。
【００８２】
実施例１で述べたように、従来の画像表示装置では、合成画像の変化によって境界の近傍における表示輝度が大きく変化してしまう。
さらに、図１３（ａ）の例では、複数の境界近傍光源の発光輝度が不均一であるため、境界の近傍において輝度ムラ（具体的には、不均一な黒浮き）が発生している。このよう
な、不均一な黒浮きは、均一な黒浮きに比べて大きい妨害として知覚されてしまう。光源の発光色を制御する場合には、色ムラが発生し得る。具体的には、複数の境界近傍光源の発光色が不均一である場合に、色ムラが発生してしまう。
本実施例では、複数の境界近傍光源の発光状態は、同じ目標状態（各境界近傍光源の目標状態を代表する代表目標状態）に制御される。それにより、図１３（ｂ）に示すように、境界の近傍における輝度ムラや色ムラを抑制することができる。
【００８３】
以上述べたように、本実施例によれば、各境界近傍光源の目標状態が同じ目標状態に補正された後に、各光源の発光状態が目標状態に制御される。それにより、境界の近傍における輝度ムラや色ムラを抑制することができる。
【００８４】
＜実施例６＞
以下、本発明の実施例６に係る画像表示装置及びその制御方法について、図面を参照して説明する。
本実施例に係る画像表示装置の構成は、実施例１〜５（図１，７，９，１０）と同じである。本実施例では、第１輝度決定部と第２輝度決定部の処理が実施例１〜５と異なる。
【００８５】
第１輝度決定部は、特徴量と発光輝度の対応関係である第１対応関係を表す第１情報（関数やテーブル）を記憶する。第１輝度決定部は、各光源に対して取得された特徴量を特徴量取得部から取得する。そして、第１輝度決定部は、光源毎に、その光源に対して取得された特徴量に対応付けられている第１対応関係の発光輝度（第１輝度）を、第１情報から取得する。その後、第１輝度決定部は、各光源に対して取得した第１輝度をバックライト制御部へ出力する。
【００８６】
第１輝度決定部は、各光源に対して取得された特徴量を特徴量取得部から取得する。そして、第１輝度決定部は、光源毎に、その光源に対して取得された特徴量に基づいて、当該光源の目標輝度（第１輝度）を決定する。第１輝度決定部は、各光源に対して決定した第１輝度をバックライト制御部へ出力する。
【００８７】
第２輝度決定部は、各光源に対して取得された特徴量を特徴量取得部から取得する。そして、第２輝度決定部は、光源毎に、その光源に対して取得された特徴量に基づいて、当該光源の目標輝度（第２輝度）を決定する。第２輝度決定部は、各光源に対して決定した第２輝度をバックライト制御部へ出力する。
【００８８】
本実施例では、第１輝度決定部と第２輝度決定部は、定期的に目標輝度（第１輝度と第２輝度）を決定する。具体的には、表示対象画像データ（合成画像データ）のフレーム毎に、第１輝度と第２輝度が決定される。そして、第２輝度決定部は、時間変化が第１輝度よりも抑制された目標輝度を、第２輝度として決定する。
バックライト制御部は、実施例１〜５と同様の機能を有する。
従って、本実施例では、境界近傍光源の目標輝度の時間変化が非境界近傍光源に比べて抑制されるように、光源毎に、その光源の目標輝度が、当該光源に対して取得された特徴量に基づいて決定される。
その結果、合成画像（表示対象画像）の変化による境界近傍光源の目標状態の変化を境界近傍光源以外の光源に比べて抑制することができる。ひいては、複数の画像を並べて表示する多画像表示時に従来のローカルディミング制御を行うことによって生じる表示画像の画質劣化を、表示画像のダイナミックレンジやコントラストの低下を抑制しつつ、抑制することができる。
【００８９】
なお、第１輝度と第２輝度が決定（更新）される頻度は、上記頻度に限らない。例えば、所定数のフレーム毎に第１輝度と第２輝度が決定されてもよい。所定時間毎に第１輝度
と第２輝度が決定されてもよい。合成画像の変更を招くユーザ操作が行われる度に、第１輝度と第２輝度が更新されてもよい。合成画像の変更を招くユーザ操作は、例えば、ＯＳＤ画像を用いたユーザ操作である。合成画像の変更を招くユーザ操作は、第１画像と第２画像の少なくとも一方を他の画像に変更するユーザ操作、合成画像に新たな画像を配置するユーザ操作、合成画像に配置されている画像を合成画像から除去するユーザ操作、等であってもよい。
【００９０】
第１輝度決定部と第２輝度決定部の処理について、詳しく説明する。
【００９１】
第１輝度決定部は、光源毎に、その光源に対して取得された特徴量に応じて、当該光源の第１輝度を決定する。第１輝度は、設定されている第３対応関係（特徴量と目標輝度の対応関係）に従って決定される。
なお、第３対応関係はメーカー等によって予め定められていてもよいし、そうでなくてもよい。例えば、第３対応関係は、ユーザ操作、複数の入力画像データ、画像表示装置の設置環境、等に応じて決定されてもよい。
【００９２】
次に、第１輝度決定部は、光源毎に、その光源の現在の第１輝度と前回の第１輝度との差に応じた第１変更量だけ当該光源の前回の第１輝度を変更した値に、当該光源の現在の第１輝度を補正する。第１変更量は、設定されている第４対応関係（目標輝度の差と第１変更量との対応関係）に従って決定される。
なお、第４対応関係はメーカー等によって予め定められていてもよいし、そうでなくてもよい。例えば、第４対応関係は、ユーザ操作、複数の入力画像データ、画像表示装置の設置環境、等に応じて決定されてもよい。
【００９３】
そして、第１決定部は、各光源の補正後の第１輝度をバックライト制御部へ出力する。
【００９４】
第２輝度決定部は、光源毎に、その光源に対して取得された特徴量に応じて、当該光源の第２輝度を決定する。第２輝度は、設定されている第３対応関係に従って決定される。
【００９５】
次に、第２輝度決定部は、光源毎に、その光源の現在の第２輝度と前回の第２輝度との差に応じた第２変更量だけ当該光源の前回の第２輝度を変更した値に、当該光源の現在の第２輝度を補正する。第２変更量は、設定されている第５対応関係（目標輝度の差と第２変更量との対応関係）に従って決定される。
なお、第５対応関係はメーカー等によって予め定められていてもよいし、そうでなくてもよい。例えば、第５対応関係は、ユーザ操作、複数の入力画像データ、画像表示装置の設置環境、等に応じて決定されてもよい。
【００９６】
そして、第２決定部は、各光源の補正後の第２輝度をバックライト制御部へ出力する。
【００９７】
図１４に、第４対応関係と第５対応関係の一例を示す。図１４には、変更量の絶対値が示されている。現在の目標輝度が前回の目標輝度よりも大きい場合には、変更量として正の値が使用され、現在の目標輝度が前回の目標輝度よりも小さい場合には、変更量として負の値が使用される。図１４の符号Ａは第４対応関係を示し、符号Ｂは第５対応関係を示す。
図１４に示すように、第２変更量の絶対値の取り得る値の最大値ＤＢは、第１変更量の絶対値の取り得る値の最大値ＤＡよりも小さい。それにより、第２輝度として、第１輝度に比べて時間変化が抑制された目標輝度を決定することができる。
その結果、境界近傍光源の発光輝度の時間変化を非境界近傍光源に比べて緩やかにすることができ、境界の近傍における表示輝度の変化を知覚し難くすることができる。また、非境界近傍光源の発光輝度を画像の特徴量に応じて速やかに変化させることができ、境界
から離れた領域において、ダイナミックレンジが広い表示画像やコントラストが高い表示画像を速やかに得ることができる。
【００９８】
図１４に示す第４対応関係と第５対応関係について補足する。
図１４に示す第４対応関係では、０から閾値Ｔｈ１への輝度差（目標輝度の差）の増加に伴って、第１変更量の絶対値が０からＤＡに線形に増加する。そして、図１４に示す第４対応関係では、閾値Ｔｈ１以上の輝度差に、第１変更量の絶対値ＤＡが対応付けられている。
図１４に示す第５対応関係では、０から閾値Ｔｈ２への輝度差の増加に伴って、第２変更量の絶対値が０からＤＢに線形に増加する。閾値Ｔｈ２は閾値Ｔｈ１よりも小さい。そして、図１４に示す第５対応関係では、閾値Ｔｈ２以上の輝度差に、第２変更量の絶対値ＤＢが対応付けられている。
図１４では、０以上且つ閾値Ｔｈ２以下の輝度差に対応付けられている第１変更量の絶対値は、当該輝度差に対応付けられている第２変更量の絶対値と等しい。
【００９９】
なお、閾値Ｔｈ１，Ｔｈ２はメーカー等によって予め定められていてもよいし、そうでなくてもよい。例えば、閾値Ｔｈ１と閾値Ｔｈ２の少なくとも一方は、ユーザ操作、複数の入力画像データ、画像表示装置の設置環境、等に応じて決定されてもよい。
なお、第４対応関係と第５対応関係は、図１４に示す対応関係に限らない。例えば、第４対応関係では、最小値０から最大値２５５への輝度差の増加に伴って、第１変更量の絶対値が下限値０から上限値Ｍに線形に増加してもよい。輝度差の増加に伴って変更量の絶対値が指数関数的に増加してもよい。輝度差の取り得る値の全範囲において、第２変更量の絶対値が第１変更量の絶対値より小さくてもよい。
【０１００】
以上述べたように、本実施例によれば、境界近傍光源の目標輝度の時間変化が非境界近傍光源に比べて抑制される。それにより、合成画像（表示対象画像）の変化による境界近傍光源の目標状態の変化を境界近傍光源以外の光源に比べて抑制することができる。ひいては、複数の画像を並べて表示する多画像表示時に従来のローカルディミング制御を行うことによって生じる表示画像の画質劣化を、表示画像のダイナミックレンジやコントラストの低下を抑制しつつ、抑制することができる。
【０１０１】
なお、目標輝度の時間変化の抑制方法は、上記方法に限らない。例えば、現在までの複数（所定数）の目標輝度の平均値に現在の目標輝度を補正することにより、目標輝度の時間変化を抑制することができる。そのため、特徴量に応じて各光源の目標輝度を決定した後に、境界近傍光源に対して決定した現在までの複数の目標状態の平均値に、当該境界近傍光源の現在の目標状態を補正してもよい。そのような構成であっても、境界近傍光源の目標輝度の時間変化を非境界近傍光源に比べて抑制することができる。
【０１０２】
なお、シーンの切り変わりの検出結果を用いて各光源の発光輝度が制御されてもよい。
例えば、第１画像と第２画像が動画像であり、且つ、第１画像のシーンと第２画像のシーンとが同時に切り替わった場合に、非境界近傍光源だけでなく境界近傍光源の発光輝度も速やかに変更されてもよい。そして、それ以外の場合には、非境界近傍光源の発光輝度が速やかに変更され、境界近傍光源の発光輝度が緩やかに変更されるように、各光源の発光輝度が制御されてもよい。
【０１０３】
具体的には、第１画像が動画像である場合に第１画像のシーンの切り変わりを検出する第１検出部と、第２画像が動画像である場合に第２画像のシーンの切り変わりを検出する第２検出部と、が画像表示装置に設けられていてもよい。そして、第１画像と第２画像が動画像であり、且つ、第１画像のシーンと第２画像のシーンとが同時に切り替わった場合に、バックライト制御部が、境界近傍光源を境界近傍光源以外の光源とみなして、各光源
の目標状態を決定してもよい。シーンの切り変わりは、フレーム間の画像の特徴量（例えば平均輝度値）の差に基づいて検出することができる。例えば、フレーム間の画像の特徴量の差が閾値以上の場合に、シーンの切り変わりが生じたと判断し、フレーム間の画像の特徴量の差が閾値未満の場合に、シーンの切り変わりが生じていないと判断することができる。
【０１０４】
第１画像のシーンと第２画像のシーンとが同時に切り替わった場合には、境界の近傍における表示輝度の変化は知覚され難い。そのため、第１画像のシーンと第２画像のシーンとが同時に切り替わった場合に、境界近傍光源を非境界近傍光源とみなしても問題は無い。境界近傍光源を非境界近傍光源とみなすことにより、画面全体において、ダイナミックレンジが広い表示画像やコントラストが高い表示画像を得ることができる。また、シーンの切り変わり後の表示画像にシーンの切り変わり前の画像データが影響を及ぼすことによる表示画像の画質劣化を抑制することができる。
【０１０５】
図１５（ａ），１５（ｂ）を用いて、第１画像のシーンのみが切り替わった場合の例を説明する。図１５（ａ）は、従来の画像表示装置の動作を示し、図１５（ｂ）は、本実施例に係る画像表示装置の動作を示す。図１５（ａ）と図１５（ｂ）の上側は表示画像を示し、図１５（ｂ）の下側は各光源の発光輝度を示す。
図１５（ａ）に示すように、従来の画像表示装置では、第１画像のシーンの切り変わりによって、第２画像の端部（第１画像側の端部）の黒浮きが大きく変動してしまう。
本実施例では、図１５（ｂ）の下側に示すように、境界近傍光源の発光輝度が緩やかに変化する。そのため、図１５（ｂ）の上側に示すように、黒浮きの変化を抑制することができる。
【０１０６】
＜実施例７＞
以下、本発明の実施例７に係る画像表示装置及びその制御方法について、図面を参照して説明する。
本実施例に係る画像表示装置の構成は、実施例１〜６（図１，７，９，１０）と同じである。本実施例では、第１輝度決定部、及び、第２輝度決定部の処理が実施例１〜６と異なる。
【０１０７】
第１輝度決定部は、各光源に対して取得された特徴量を特徴量取得部から取得し、各光源に対して取得された特徴量を代表する第１代表特徴量を決定する。第１代表特徴量は、各光源の特徴量の最大値、最小値、平均値、最頻値、中間値、等である。そして、第１輝度決定部は、実施例１〜６と同様の方法により、第１代表特徴量から第１輝度（第１代表輝度）を決定する。第１輝度決定部は、各光源の第１輝度として、第１代表輝度を出力する。第１代表輝度は、バックライト制御部へ出力される。
なお、第１代表輝度の決定方法は上記方法に限らない。例えば、実施例１〜６と同様の方法により、各光源の第１輝度が決定されてもよい。そして、各光源の第１輝度の最大値、最小値、平均値、最頻値、中間値、等が、第１代表輝度として決定されてもよい。
【０１０８】
第２輝度決定部は、各光源に対して取得された特徴量を特徴量取得部から取得する。また、第２輝度決定部は、複数の光源の中から、優先光源を検出する。そして、第２輝度決定部は、実施例１〜６と同様の方法により、優先光源に対して取得された特徴量（第１代表特徴量）を決定する。第２輝度決定部は、各光源の第２輝度として、第２代表輝度を出力する。第２代表輝度は、バックライト制御部へ出力される。
複数の優先光源が存在する場合には、第２輝度決定部は、各優先光源に対して取得された特徴量を代表する第２代表特徴量を決定する。第２代表特徴量は、各優先光源の特徴量の最大値、最小値、平均値、最頻値、中間値、等である。また、第２代表特徴量は、優先画像の特徴を表す。そして、第２輝度決定部は、実施例１〜６と同様の方法により、第２
代表特徴量から第２輝度（第２代表輝度）を決定する。
なお、複数の優先光源が存在する場合における第２代表輝度の決定方法は上記方法に限らない。例えば、実施例１〜６と同様の方法により、各優先光源の第２輝度が決定されてもよい。そして、各光源の第２輝度の最大値、最小値、平均値、最頻値、中間値、等が、第２代表輝度として決定されてもよい。
【０１０９】
優先光源は、例えば、第１画像と第２画像の一方である優先画像のみが表示される分割領域（優先領域）に配置されている光源である。本実施例では、第１画像と第２画像の一方が静止画像であり、且つ、他方が動画像である場合に、第２輝度決定部は、静止画像を優先画像として選択する。第１画像と第２画像の両方が動画像である場合には、第２輝度決定部は、第１画像を優先画像として選択する。第１画像と第２画像の両方が静止画像である場合にも、第２輝度決定部は、第１画像を優先画像として選択する。
優先領域は、表示領域設定部から出力された表示領域情報（優先画像の画像表示領域）に基づいて検出することができる。
画像が動画像であるか静止画像であるかは、フレーム間の画像の特徴量の差から判断することができる。例えば、フレーム間の画像の特徴量が変化する場合に、当該画像が動画像であると判断することができ、フレーム間の画像の特徴量が変化しない場合に、当該画像が静止画像であると判断することができる。
【０１１０】
なお、優先画像を選択する処理と、優先領域を検出する処理、及び、優先光源を検出する処理と、の少なくともいずれかは、第２輝度決定部以外の機能部によって実行されてもよい。
なお、画像が動画像であるか静止画像であるかの判断方法は、上記方法に限らない。例えば、入力画像が動画像であるか静止画像であるかを表す付加情報が入力画像データ（入力画像データのヘッダ部）に付加されている場合には、当該付加情報を用いて、入力画像が動画像であるか静止画像であるかが判断されてもよい。
なお、優先画像の選択方法は、上記方法に限らない。例えば、ユーザ操作に応じて、第１画像と第２画像の一方が優先画像として選択されてもよい。第１画像と第２画像のうち、ユーザが操作（選択）している画像が、優先画像として選択されてもよい。例えば、画像表示装置が、ユーザが操作している画像を表す選択情報を、外部から取得してもよい。そして、第２輝度決定部が、選択情報が表す画像を優先画像として選択してもよい。
【０１１１】
なお、第２代表特徴量の取得方法は、上記方法に限らない。例えば、第２代表特徴量は、優先画像を表す画像データから取得されてもよい。
なお、第２代表特徴量は、上記特徴量に限らない。例えば、第２代表特徴量は、優先画像全体の画素値（又は輝度値）のヒストグラムや代表値であってもよい。
なお、優先領域は、上記分割領域に限らない。例えば、少なくとも優先画像が表示される分割領域が、優先領域として検出されてもよい。優先画像が表示され、且つ、優先画像の表示サイズが他の全ての画像の表示サイズよりも大きい分割領域が、優先領域として検出されてもよい。
【０１１２】
上述したように、本実施例では、各光源の第２輝度として、優先画像の特徴を表す第２代表特徴量に基づく第２輝度が得られる。そのため、本実施例では、境界近傍光源の発光輝度は、優先画像の特徴量のみに基づいて制御される。境界近傍光源の発光輝度は、優先画像の特徴を表す第２代表特徴量に基づく第２輝度に制御される。
【０１１３】
以上述べたように、本実施例によれば、境界近傍光源の発光輝度は、優先画像の特徴量のみに基づいて制御される。それにより、境界近傍光源の発光輝度が優先画像以外の画像の変化によって変化することを抑制することができる。ひいては、境界の近傍における表示輝度が優先画像以外の画像の変化によって変化することを抑制することができる。例え
ば、優先画像の端部（他の画像が配置されている側の端部）の表示輝度が優先画像以外の画像の変化によって変化することを抑制することができる。
【０１１４】
以上、本発明の好ましい実施例について説明したが、本発明はこれらの実施例に限定されず、その要旨の範囲内で種々の変形および変更が可能である。また、実施例１〜７で説明してきた構成は、互いに組み合わせて使用できる。従って、上記各実施例における様々な技術を適宜組み合わせて新たな装置を構成することは当業者であれば容易に想到し得るものであり、そのような様々な組み合わせによる装置も本発明の範疇に属する。
【０１１５】
例えば、図１６に示すように、第１画像と第２画像の明るさの差が小さい場合に、実施例６の方法によって、境界近傍光源の発光輝度の時間変化が抑制されてもよい。そして、第１画像と第２画像の明るさの差が大きい場合に、実施例１の方法によって、境界近傍光源の発光輝度の制御可能な範囲が低減されてもよい。
このような構成によれば、第１画像と第２画像の両方が暗い場合に、境界近傍光源の発光輝度のみが高い値に制御されることによる表示画像の違和感を低減することができる。また、第１画像と第２画像の明るさの差が大きい場合に、実施例１の方法で境界近傍光源の発光輝度の制御可能な範囲を低減することにより、境界の近傍における表示用画像データの画素値が上限値に制限されることを抑制することができる。その結果、境界の近傍における表示輝度の最大値の低下を抑制することができる。
【０１１６】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【０１１７】
１０３，３０３：特徴量取得部  １０４：第１輝度決定部  １０５：第２輝度決定部
１０６，３０６：バックライト制御部  １０８：バックライトモジュール
１０９：液晶パネル  ３１０：特徴量比較部
【図１】
0006494195.tif 000002
【図２】
0006494195.tif 000003
【図３】
0006494195.tif 000004
【図４】
0006494195.tif 000005
【図５】
0006494195.tif 000006
【図６】
0006494195.tif 000007
【図７】
0006494195.tif 000008
【図８】
0006494195.tif 000009
【図９】
0006494195.tif 000010
【図１０】
0006494195.tif 000011
【図１１】
0006494195.tif 000012
【図１２】
0006494195.tif 000013
【図１３】
0006494195.tif 000014
【図１４】
0006494195.tif 000015
【図１５】
0006494195.tif 000016
【図１６】
0006494195.tif 000017
【図１７】
0006494195.tif 000018